(57)【特許請求の範囲】
【請求項１】
足首領域から下方部分を包囲する足覆部と、足首領域から上方部分を包囲する筒部とを有する長靴において、
前記足覆部の内部に、足の甲部を締め付け可能な圧接部を設け、
前記筒部に、前記圧接部と連結して足の甲部に対する締め付け状態を調節可能な調節手段を設け、
前記調節手段は、前記筒部に沿って開口側に延びる緊締部材を有し、前記緊締部材は、前記筒部の前側の内面に止着されて前記足覆部側から前記筒部の上部開口へ向けて前記筒部の長手方向に沿って延びる管状体内に挿通案内されることを特徴とする長靴。
【請求項２】
前記調節手段は、前記緊締部材に連結されると共に、前記筒部の外側に設けられた調節部材を更に備え、
前記調節部材を操作することで、前記緊締部材を介して圧接部の締め付け状態が調節可能であることを特徴とする請求項１に記載の長靴。
【請求項３】
前記圧接部は、足覆部の内部に配設された可撓性を有する板状部材を有することを特徴とする請求項１又は２に記載の長靴。
【請求項４】
前記管状体が前記筒部より硬質であることを特徴とする請求項１から３のいずれか１項に記載の長靴。
【請求項５】
前記筒部から足覆部の先端側に向けて、圧接部と挿入される足の甲部との間に介在される舌片を配設したことを特徴とする請求項１から４のいずれか１項に記載の長靴。
【発明の詳細な説明】
【技術分野】
【０００１】
本発明は、悪天候時、或いはレジャー時等において使用される長靴に関する。
【背景技術】
【０００２】
通常、長靴は、足首領域から下方部分を包囲する足覆部と、足首領域から上方部分を包囲する筒部とを備えており、防水、防寒などを目的として履かれる。このような長靴は、使用に際して、足の甲部と足覆部との間に大きな隙間が生じているため、足裏のつま先から踵に至る領域が靴底から浮き易く、フィット感に欠け、歩き難いという問題がある。
【０００３】
このような問題を解決するために、特許文献１には、挿入される足の甲側となる足覆部と筒部の間の屈曲した接続部分の内面にスポンジなど弾力性のある加圧パッドを設けた長靴が開示されている。
このような長靴によれば、足の甲部と足覆部との間にスペースがなくなることから、歩行時に踵が靴底から浮き上がることはなく、フィット感の向上が図れるようになる。
【先行技術文献】
【特許文献】
【０００４】
【特許文献１】特開２００１−１４９１０２号
【発明の概要】
【発明が解決しようとする課題】
【０００５】
上記した公知技術では、足覆部と筒部の間の屈曲した接続部分の内面に加圧パッドが内向きに突出しているため、個人毎に異なる足首部の周長によって加圧力が異なり、使用者によってはフィット感が悪いという問題がある。また、スポンジ、ウレタンゴム等の弾力性のある加圧パッドであるため、経時変化等によって加圧力に変化が生じてしまい、フィット感が低下してしまう可能性もある。
【０００６】
本発明は、上記した問題に着目してなされたものであり、長期に亘ってフィット感に優れた構成の長靴を提供することを目的とする。
【課題を解決するための手段】
【０００７】
上記した目的を達成するために、本発明は、足首領域から下方部分を包囲する足覆部と、足首領域から上方部分を包囲する筒部とを有する長靴において、前記足覆部の内部に、足の甲部を締め付け可能な圧接部を設け、前記筒部に、前記圧接部と連結して足の甲部に対する締め付け状態を調節可能な調節手段を設け、前記調節手段は、前記筒部に沿って開口側に延びる緊締部材を有し、前記緊締部材は、前記筒部の前側の内面に止着されて前記足覆部側から前記筒部の上部開口へ向けて前記筒部の長手方向に沿って延びる管状体内に挿通案内されることを特徴とする。
【０００８】
上記した構成の長靴では、調節手段を操作することで、圧接部によって足の甲部を締め付けることが可能であることから、長靴の内部で足が浮き上がったり、動くことが抑制され、これにより、足覆部の内部におけるフィット感の向上が図れ、歩行性を向上することが可能となる。また、圧接部による締め付け状態を、筒部に設けられた調節手段によって任意に調節できるため、足首部の周長が異なっていても、最適な締め付け状態にすることが可能となる。また、上記した構成の長靴では、前記筒部の前側の内面に止着されて前記足覆部側から前記筒部の上部開口へ向けて前記筒部の長手方向に沿って延びる管状体に調節手段の緊締部材を挿通させているため、緊締部材を締め付けた際に、筒部の変形を防止して、締め付け力を保持することが可能となる。また、管状体によって緊締部材の位置が固定され、操作性の向上が図れるようになる。
【発明の効果】
【０００９】
本発明によれば、長期に亘ってフィット感に優れた構成の長靴が得られる。
【図面の簡単な説明】
【００１０】
【図１】本発明に係る長靴の第１の実施形態を示しており、内部構成を示す図。
【図２】図１に示す長靴に用いられている固定具を示す図であり、（ａ）は内部構成を示す斜視図、（ｂ）は平面断面図。
【図３】図１に示す長靴の内部構成を示す部分断面図。
【図４】図１に示す長靴に配設される管状体の一例を示す図であり、（ａ）は断面図、（ｂ）は管状体の拡大図。
【図５】本実施形態の変形例（管状体部分）を示す図であり、（ａ）及び（ｂ）は第１の変形例を示す図、（ｃ）及び（ｄ）は第２の変形例を示す図。
【図６】（ａ）及び（ｂ）は第３の変形例を示す図。
【図７】本実施形態の変形例（管状体の下端部）を示す図であり、（ａ）は第４の変形例を示す図、（ｂ）は第５の変形例を示す図。
【図８】本発明に係る長靴の第２の実施形態を示しており、内部構成を示す図。
【図９】本発明に係る長靴の第３の実施形態を示しており、内部構成を示す図。
【図１０】本発明に係る長靴の第４の実施形態を示す図。
【図１１】本発明に係る長靴の第５の実施形態を示す図。
【発明を実施するための形態】
【００１１】
以下、図面を参照しながら、本発明に係る長靴の実施形態について説明する。
図１から図４は、本発明に係る長靴の第１の実施形態を示す図であり、図１は、内部構成を示す図、図２は、図１に示す長靴に用いられている固定具を示す図であり、（ａ）は内部構成を示す斜視図、（ｂ）は平面断面図、図３は、図１に示す長靴の内部構成を示す部分断面図、そして、図４は、図１に示す長靴に配設される管状体の一例を示す図であり、（ａ）は断面図、（ｂ）は管状体の拡大図である。
【００１２】
本実施形態に係る長靴の本体１は、実際に足を入れた際、足首領域から下方部分を包囲するように断面が略半楕円形状に形成された足覆部１Ａと、足首領域から上方部分を包囲するように断面が略円形状に形成された筒部１Ｂとを有している。本体１は、比較的柔軟な素材によって形成されており、例えば、軟質塩化ビニル樹脂、オレフィン系熱可塑性エラストマー、軟質ポリオレフィン、スチレン系熱可塑性エラストマー、ウレタン系熱可塑性エラストマー等によって形成することが可能である。
【００１３】
前記足覆部１Ａの内部には、足裏が載置される靴底１Ｃ（或いは、履き心地を向上するために設置されるインナーソール；中敷き）が設けられると共に、挿入された足の甲部を締め付け可能な圧接部３が設けられている。本実施形態の圧接部は、挿入された足の甲部の表面に対して、両サイド側から当接し、かつ、甲部の表面の中央領域が離間した状態となる一対の板状部材３ａ，３ｂを備えている。この場合、各板状部材３ａ，３ｂは、足の甲部において、足首領域からつま先領域にかけて延出しており、甲部側から足裏側に湾曲した状態を維持して足覆部１Ａの内面に止着されている。具体的に、各板状部材３ａ，３ｂは、柔軟な材料（布、合成皮革、合成樹脂などの可撓性を有する材料）で形成されており、図１の斜線で示す下側端部４が足覆部１Ａの内面に接着や縫着などによって止着されている。なお、両板状部材３ａ，３ｂは、上記したように、挿入された足の甲部の中央領域が長手方向に沿って予め離間するように足覆部１Ａの内面に対して止着されている。
【００１４】
また、前記筒部１Ｂには、圧接部を構成する両板状部材３ａ，３ｂと連結して、足の甲部に対する締め付け状態を調節可能な調節手段５が設けられている。この調節手段５は、それを操作することで、足の甲部に対する上記した圧接部（両板状部材）による圧接力の調節を行うものであり、圧接力を高めることで、足の甲部が靴底側に締め付けられ、足覆部１Ａの内面と挿入された足との間に遊びをなくしてフィット感を高める機能を有する。
以下、板状部材の甲部に対する圧接力（締め付け力）を調節可能にする調節手段について具体的に説明する。
【００１５】
調節手段５は、前記筒部１Ｂに沿って開口側に延びる緊締部材５Ａを備えている。本実施形態の緊締部材５Ａは、繊維束等によって紐状に構成されたものであり、ループ状になって一端側が前記板状部材３ａ，３ｂ側と連結され、他端側が筒部１Ｂの開口から突出するように配設されている。
【００１６】
前記各板状部材３ａ，３ｂの止着側と反対側の端部（離間した中央側の端部）には、長手方向に沿って、複数（図では４つ）の案内部材７が連続的に止着されている。この案内部材７には、それぞれ貫通孔が形成されており、この部分に、前記緊締部材５Ａの一端側が、図１に示すように、交互に交差した状態で挿通されている。
【００１７】
前記緊締部材５Ａの他端側は、使用者が操作容易となるように筒部１Ｂの外方に露出している。具体的に、本実施形態の緊締部材５Ａは、筒部１Ｂの前側（ひざ側）において筒部１Ｂに沿うように延出しており、筒部１Ｂの開口から上方に向けて突出している。そして、突出した部分の緊締部材５Ａには、以下のような固定具（調節部材）５Ｂが設けられている。
【００１８】
固定具５Ｂは、図２に示すように、ループ状になった緊締部材５Ａを挿通させる本体ケース５ａと、この本体ケース５ａに対してスライド可能に支持された円盤状のロック部材５ｂとを備えている。前記ロック部材５ｂの両サイドには、ループ状になった緊締部材５Ａが挿通され、ロック部材５ｂを矢印方向（下方側）にスライドさせることで、緊締部材５Ａは、ロック部材５ｂの外周面と本体ケース５ａの内面との間で挟持され、その位置が固定される。このため、ロック部材５ｂを矢印と反対方向にスライドさせることで、緊締部材５Ａの突出量を調節することができ、その位置でロック部材５ｂを矢印方向にスライドさせることにより、その突出量が維持される。
【００１９】
上記したように、緊締部材５Ａの一端側は、各板状部材３ａ，３ｂに対して、長手方向に沿って止着されている案内部材７に交差して挿通されていることから、前記固定具５Ｂを操作して突出量を可変することにより、各板状部材３ａ，３ｂの足の甲部に対する圧接力を調節することが可能となっている。
【００２０】
前記緊締部材５Ａは、紐状の部材によって構成されており、筒部１Ｂに沿って配設されることから、筒部１Ｂの内面には、緊締部材５Ａを案内する管状体１０を設けておくことが好ましい。この管状体１０は、好ましくは、筒部の前側に接着などによって止着されており、筒部に沿った長手方向では収縮変形が少なく、横方向には変化可能に構成されていることが好ましい。このような機能を有するものとしては、例えば、ポリウレタン、ポリアミド、ウレタン系熱可塑性エラストマー、硬質ゴムなど、筒状部１Ｂと比較して硬質な材料を用いることができ、このような管状体に緊締部材を挿通させることで、緊締部材５Ａを締め付けた際に、筒部１Ｂの変形を防止して、締め付け力を保持することが可能となる。なお、図４（ｂ）に示すように、管状体１０に、長手方向に沿って、所定間隔でスリット１０ａを形成しておくことで、筒部１Ｂが屈曲しても、それに追従することが可能となり、履き心地を低下させるようなことはない。
【００２１】
また、図３に示すように、管状体１０の下端部は、長靴の本体内面（筒部の内面）から離間させておくことが好ましい。すなわち、管状体１０は、筒部１Ｂの内面に止着されると共に、その下端領域１０ｂが筒部１Ｂの内面から離間して、足覆部側に突出するように構成することが好ましい。このように構成することで、緊締部材５Ａの締め付け時に、緊締方向に管状体１０が向くことができ、緊締時に本体１が変形したり、皺などが生じることを抑制することが可能となる。
【００２２】
また、図１及び図３に示すように、筒部１Ｂから足覆部１Ａの先端側に向けて、板状部材３ａ，３ｂと挿入される足の甲部との間に、舌片１２を配設しておくことが好ましい。このような舌片１２は、布、合成皮革、合成樹脂などの可撓性を有する材料によって形成されており、その先端１２ａを足覆部１Ａの内面に止着したり、その中間部分や基端部分を板状部材３ａ，３ｂの裏面に止着する等により、挿入される足の甲部上に位置する状態とすることが可能である。
【００２３】
このような舌片１２を配設することで、足の甲部に直接、緊締部材５Ａが接触することを防止できると共に、履き心地を向上することが可能となる。なお、舌片１２は、その基端部の位置Ｐが、前記管状体１０の下端位置Ｐ１よりも高くなるように配設されることが好ましい。舌片１２をこのように配設しておくことで、足の屈曲動作時に、管状体１０の下端が足首の前部に当たることを抑制することができ、履き心地が低下することを防止できる。
【００２４】
上記したように構成された長靴によれば、固定具５Ｂを上記したように操作して、緊締部材５Ａを引き上げる（締め付ける）ことで、足覆部１Ａ内において、圧接部である一対の板状部材３ａ，３ｂが互いに接近しながら撓み、足覆部内の足の甲部に圧接されるようになる。これにより、長靴の内部で足が浮き上がったり、動くことが抑制され、フィット感の向上が図れるようになり、歩行性を向上することが可能となる。特に、本実施形態では、圧接部を、足の甲部に面接する可撓性を有する板状部材３ａ，３ｂとしたことで、広い範囲で甲部を靴底側に押圧することができるようになり、フィット感を向上することが可能となる。
【００２５】
また、固定具５Ｂを操作して緊締部材５Ａを締め付け／緩めることで、圧接部による締め付け状態を任意に調節できるため、足首部の周長が異なっていても最適な締め付け状態に調節することが可能となり、さらには、従来技術のように、スポンジなど弾力性のある加圧パッドを設ける構成でないため、磨耗等することはなく、長期に亘ってフィット感に優れた構成の長靴が得られる。
【００２６】
また、本実施形態の構成では、緊締部材５Ａが筒部１Ｂに沿って延びており、筒部１Ｂの外側に固定具５Ｂが設けられているため、長靴を履いたままで容易に圧接力を調節することができる。特に、緊締部材５Ａは筒部１Ｂの前側（ひざ側）に設置されているため、調節操作時に座り込む必要がなく、少しかがんだ状態で容易に調節操作が行えるようになる。
【００２７】
また、筒部１Ｂに、緊締部材５Ａを挿通させる管状体１０を設けることで、緊締部材５Ａの位置が固定され、かつ、固定具５Ｂが筒部内に落ち込むことがなくなるため、操作性の向上が図れるようになる。さらに、管状体１０は、筒部１Ｂよりも硬質な材料で形成されているため、緊締部材５Ａを引き上げても、その引張力が筒部１Ｂに影響を与えるようなことはなく、筒部が型崩れしたり、履き心地を悪化させるようなこともない。
【００２８】
次に、上記した実施形態の各種変形例について説明する。
上記した管状体１０については、緊締部材５Ａを引張操作しても、その両端位置が変わることなく、かつ、筒部１Ｂの屈曲性を妨げないように構成されていれば良い。
【００２９】
図５は、屈曲変形可能な管状体の変形例を示す図であり、（ａ）及び（ｂ）は第１の変形例を示す図、（ｃ）及び（ｄ）は第２の変形例を示す図である。
第１の変形例は、管状体１０Ａを金属のスプリングによって構成したものであり、その一側部を、筒部の内面に止着したものである。このような構成では、図５（ｂ）に示すように、筒部１Ｂが屈曲しても、それに追従することができ、上記した実施形態と同様な作用効果を得ることが可能となる。また、第２の変形例の管状体１０Ｂは、樹脂テープ（例えば、ポリプロピレン、ポリエチレン、フッ素、オレフィン系の樹脂によって形成されたテープ）１０ｃを螺旋状に密巻する（図５（ｄ））と共に、その外周をゴム等の伸縮性を有する部材１０ｄで被覆し、その一側部を、筒部の内面に止着したものである（図５（ｃ））。このような構成では、筒部が屈曲しても、それに伴って樹脂テープが伸張して追従することができ、上記した実施形態と同様な作用効果を得ることが可能となる。
【００３０】
図６に示す第３の変形例は、屈曲しない管状体１０Ｃを、筒部１Ｂに対して、長手方向に沿って複数個、隣接して配置した例を示す図である。このような構成では、図６（ｂ）に示すように、筒部が屈曲した際、隣接する個々の管状体１０Ｃが追従することができ、上記した実施形態と同様な作用効果を得ることが可能となる。
【００３１】
図７は、上記した各管状体の下端部を示す図であり、（ａ）は第４の変形例を示す図、（ｂ）は第５の変形例を示す図である。
上記した管状体の内部には、紐状の緊締部材５Ａが挿通されるため、管状体１０の突出開口部には、図７（ａ）に示すように、硬質リング１０ｆを取り付けることが好ましい。このような硬質リング１０ｆは、酸化物系（アルミナなど）や炭化物系（炭化ケイ素など）のセラミックス、或いは、チタン、ステンレスのような金属で形成することができ、これにより、摺動する緊締部材５Ａとの間で摩擦抵抗の軽減が図れ、緊締部材の損傷を防ぐことが可能となる。或いは、図７（ｂ）に示すように、管状体１０の先端１０ｇを二股状に形成しても良い。このように構成することで、管状体の下端で、ループ状になっている緊締部材５Ａが出る位置を規制することが可能となり、一対の板状部材３ａ，３ｂが幅方向にずれ難くなって、安定した圧接力を付与することが可能となる。
【００３２】
図８は、本発明に係る長靴の第２の実施形態を示しており、内部構成を示す図である。
上記した実施形態では、足の甲部を圧接する一対の板状部材３ａ，３ｂを、足覆部１Ａの内面に止着したが、図に示す板状部材３ｃ，３ｄのように、靴底に設置されるインナーソール（中敷）２０に対して一体化しても良いし、或いは、接着、溶着、縫着などによって止着しても良い。
このように構成することで、圧接部の長靴内部への組込性が向上し、製造工程が容易になる。
【００３３】
図９は、本発明に係る長靴の第３の実施形態を示しており、内部構成を示す図である。
この実施形態では、足覆部１Ａの上面側の内面に沿って、１枚の板状部材３ｆを配設している。板状部材３ｆは、布、合成皮革、ポリプロピレンやポリウレタンなどの合成樹脂によって形成することが可能であり、アーチ状に湾曲された状態で、足覆部１Ａの内面に沿って配設されている。
【００３４】
板状部材３ｆの両サイドには、インナーソール２０の両サイドに設けられた案内部材２１を介してループ状になった緊締部材５Ａの両端が連結されており、これにより、緊締部材５Ａを矢印で示すように、引き上げ操作すると、板状部材３ｆは、案内部材２１を介して下方に引き下げられ、足の甲部に対して圧接されるようになる。
【００３５】
このような構成においても、上記した実施形態と同様な作用効果が得られると共に、緊締部材を、上記した実施形態のように、一対の板状部材に設けられた案内部材７に交差させながら通す必要がないため、構造を簡略化することが可能となる。
【００３６】
図１０は、本発明に係る長靴の第４の実施形態を示す図である。
上記した実施形態では、調節手段を構成する固定具５Ｂは、ロック部材による楔結合を解除して手の操作で緊締部材を引き上げ、ロック部材を元の位置に戻すことで、緊締部材の位置を、保持、固定するようにしていたが、図１０に示すように、ダイヤル式の締め付け構造としても良い。すなわち、緊締部材５Ａを回転部材５Ｄの周囲に巻き付けておき、回転部材５Ｄを回転操作することで、緊締部材の引張力を調節するようにしても良い。
【００３７】
このような構成によれば、足の甲に対する圧接力の調節操作が容易に行えると共に、微妙な圧接力の調節が可能となる。
【００３８】
図１１は、本発明に係る長靴の第５の実施形態を示す図である。
この実施形態の調節手段は、筒部１Ｂの前面の上端側に、長手方向に沿って凹凸５Ｅを形成しておき、この部分にスライド可能な係止片５Ｆを係止させるようにしている。係止片５Ｆには、筒部１Ｂの管状体１０の内部に設置されると共に、緊締部材５Ａが取り付けられた連結部材５Ｇが一体化されている。また、係止片５Ｆは、回動可能な開放レバー５Ｈを操作することによって、係止片５Ｆの凹凸５Ｅに対する係合を解除できるように構成されている。
【００３９】
このような構成によれば、開放レバー５Ｈを回動して係止片５Ｆの凹凸５Ｅに対する係合を解除すると共に、係止片５Ｆを長手方向に摺動させ、凹凸５Ｅのいずれかの位置に合わせて開放レバー５Ｈを回動して係止片５Ｆを凹凸５Ｅに係合させることで、上記した圧接力を調節することが可能となる。
【００４０】
このような構成においても、足の甲に対する圧接力の調節操作が容易に行えると共に、微妙な圧接力の調節が可能となる。
【００４１】
以上、本発明の実施形態について説明したが、本発明は、上記した構成に限定されることはなく、種々変形することが可能である。
【００４２】
例えば、上述した調節手段は、少なくとも足覆部１Ａに設けられている圧接部と連結される緊締部材と、圧接部による圧接力（締め付け力）の調節を行うための操作部材とを備えた構成となっていれば良く、その配設位置や、調節方法については、上述した各実施形態の構成に限定されることはない。また、緊締部材については、繊維束のような紐状に構成されたもの以外にも、ワイヤなどによって構成されたものであっても良い。また、調節手段を構成する操作部材については、長靴の本体１から露出した位置に設置されていれば良く、筒部１Ｂの上端の前側位置に限定されることはない。さらに、足の甲部に当接して締め付け可能な圧接部の形状、及び、その配設位置、足覆部の内部における止着方法についても、適宜変形することが可能である。
【符号の説明】
【００４３】
１  本体
１Ａ  足覆部
１Ｂ  筒部
３ａ，３ｂ、３ｃ，３ｄ、３ｆ  板状部材（圧接部）
５  調節手段
５Ａ  緊締部材
５Ｂ  固定具
１０，１０Ａ，１０Ｂ，１０Ｃ  管状体
【図１】
0005525381.tif 000002
【図２】
0005525381.tif 000003
【図３】
0005525381.tif 000004
【図４】
0005525381.tif 000005
【図５】
0005525381.tif 000006
【図６】
0005525381.tif 000007
【図７】
0005525381.tif 000008
【図８】
0005525381.tif 000009
【図９】
0005525381.tif 000010
【図１０】
0005525381.tif 000011
【図１１】
0005525381.tif 000012